Podtech/llm-jp-corpus-v4-ja_patent huggingface dataset:
【手続補正書】
【提出日】平成25年4月19日(2013.4.19)
【手続補正１】
【補正対象書類名】明細書
【補正対象項目名】０００２
【補正方法】変更
【補正の内容】
【０００２】
従来、複数の識別情報（図柄、記号など）を変動させる変動表示ゲームを表示する液晶表示装置などの表示装置を備えたパチンコ遊技機がある。
【手続補正２】
【補正対象書類名】明細書
【補正対象項目名】０００３
【補正方法】変更
【補正の内容】
【０００３】
また、かかるパチンコ遊技機では、表示装置の前方で可動装置を上下動させる役物装置を備えたものが知られている（特許文献１参照）。
【手続補正３】
【補正対象書類名】明細書
【補正対象項目名】０００５
【補正方法】変更
【補正の内容】
【０００５】
しかし、このようなパチンコ遊技機では、役物装置への遊技球の進入による役物装置の動作の不具合が課題となっている。
【手続補正４】
【補正対象書類名】明細書
【補正対象項目名】０００６
【補正方法】変更
【補正の内容】
【０００６】
本発明の目的は、遊技球を使用する遊技機において、役物装置への遊技球の進入を防止することにある。
【手続補正５】
【補正対象書類名】明細書
【補正対象項目名】０００７
【補正方法】変更
【補正の内容】
【０００７】
以上の課題を解決するため、請求項１に記載の発明は、
遊技領域が形成される遊技盤に、表示用窓部が形成されたセンターケースを備え、該センターケースの表示用窓部の後方側に表示装置を設けた遊技機において、
前記表示装置の前面下方に、下可動役物を動作させることが可能な下可動役物ユニットを設け、
前記下可動役物ユニットの前方に、遊技球を転動させることが可能であるとともに転動した遊技球を前記センターケースの下方の遊技領域に流下させるステージ部を設け、
前記ステージ部と前記下可動役物ユニットの間に、少なくとも前記下可動役物の前面を覆うカバー部材をクリア材料で形成し、
前方から視認したときに前記下可動役物の少なくとも一部が前記カバー部材と前後に重なった状態で動作して見えるようにしたことを特徴としている。
【手続補正６】
【補正対象書類名】明細書
【補正対象項目名】０００８
【補正方法】変更
【補正の内容】
【０００８】
請求項１に記載の発明によれば、前方から前面カバー部材を通して下可動役物の動作が視認可能となるとともに、下可動役物ユニットへの遊技球の進入を防止することができる。
【手続補正７】
【補正対象書類名】明細書
【補正対象項目名】０００９
【補正方法】変更
【補正の内容】
【０００９】
請求項２に記載の発明は、請求項１に記載の遊技機において、
前記ステージ部をクリア材料で形成するとともに、当該ステージ部を前記下可動役物の前面側、かつ前記カバー部材の前方に配設したことを特徴としている。
【手続補正８】
【補正対象書類名】明細書
【補正対象項目名】００１０
【補正方法】変更
【補正の内容】
【００１０】
請求項２に記載の発明によれば、遊技者は、ステージ部を転動する遊技球を見て楽しむとともに、後方に配設された下可動役物の動作を見て楽しむことができるようになる。
【手続補正９】
【補正対象書類名】明細書
【補正対象項目名】００１１
【補正方法】変更
【補正の内容】
【００１１】
請求項３に記載の発明は、請求項２に記載の遊技機において、
前記下可動役物へ光を照射する発光手段を設け、
前記カバー部材及び前記ステージ部を介して、光が照射された状態で動作する前記下可動役物を視認可能としたことを特徴としている。
【手続補正１０】
【補正対象書類名】明細書
【補正対象項目名】００１２
【補正方法】変更
【補正の内容】
【００１２】
請求項３に記載の発明によれば、光と動作により、下可動役物の演出効果を更に高めることができる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明によれば、遊技球を使用する遊技機において、下可動役物への遊技球の進入を防止することができる。
【手続補正１６】
【補正対象書類名】特許請求の範囲
【補正対象項目名】全文
【補正方法】変更
【補正の内容】
【特許請求の範囲】
【請求項１】
遊技領域が形成される遊技盤に、表示用窓部が形成されたセンターケースを備え、該センターケースの表示用窓部の後方側に表示装置を設けた遊技機において、
前記表示装置の前面下方に、下可動役物を動作させることが可能な下可動役物ユニットを設け、
前記下可動役物ユニットの前方に、遊技球を転動させることが可能であるとともに転動した遊技球を前記センターケースの下方の遊技領域に流下させるステージ部を設け、
前記ステージ部と前記下可動役物ユニットの間に、少なくとも前記下可動役物の前面を覆うカバー部材をクリア材料で形成し、
前方から視認したときに前記下可動役物の少なくとも一部が前記カバー部材と前後に重なった状態で動作して見えるようにしたことを特徴とする遊技機。
【請求項２】
前記ステージ部をクリア材料で形成するとともに、当該ステージ部を前記下可動役物の前面側、かつ前記カバー部材の前方に配設したことを特徴とする請求項１に記載の遊技機。
【請求項３】
前記下可動役物へ光を照射する発光手段を設け、
前記カバー部材及び前記ステージ部を介して、光が照射された状態で動作する前記下可動役物を視認可能としたことを特徴とする請求項２に記載の遊技機。
【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
第１のユーザ操作可能なマスタコントローラと、
第１の手術用器具を保持および操作するように適合された第１のマニプレータであって、前記第１のマニプレータは、前記第１のマニプレータに隣接した人物により知覚されるように配置された少なくとも１つの第１の起動可能なインディケータを有する、第１のマニプレータと、
第２のユーザ操作可能なマスタコントローラと、
第２の手術用器具を保持および操作するように適合された第２のマニプレータであって、前記第２のマニプレータは、前記第１のマニプレータに隣接した人物により知覚されるように配置された少なくとも１つの第２の起動可能なインディケータを有する、第２のマニプレータと、
前記第１のユーザ操作可能なマスタコントローラのユーザ操作に応答して前記第１のマニプレータの移動を制御することと、前記第２のユーザ操作可能なマスタコントローラのユーザ操作に応答して前記第２のマニプレータの移動を制御することと、前記第１および第２の手術用器具のうちのどちらが交換手術用器具により交換されるべきかを示し、前記第１および第２のマニプレータのうちの前記示されたマニプレータが前記交換手術用器具を保持および操作するようにするように、前記少なくとも１つの第１の起動可能なインディケータおよび前記少なくとも１つの第２の起動可能なインディケータの起動を制御することとを実行するようにプログラムされたコンピュータプロセッサと
を備えるロボット医療システム。
【請求項２】
複数の取り付けられていない手術用器具と、
前記複数の取り付けられていない手術用器具に対応する複数の起動可能なインディケータと
をさらに備え、
前記交換手術用器具は、前記複数の取り付けられていない手術用器具から選択され得、
前記コンピュータプロセッサは、前記複数の取り付けられていない手術用器具から選択された交換手術用器具に対応する起動可能なインディケータを起動することにより前記選択された交換手術用器具を示すように前記複数の起動可能なインディケータの起動を制御するようにプログラムされている、請求項１に記載のロボット医療システム。
【請求項３】
前記複数の取り付けられていない手術用器具が取り外し可能に配置される構造をさらに備え、
前記複数の起動可能なインディケータは、前記複数の起動可能なインディケータの各々が前記複数の取り付けられていない手術用器具のうちの対応する１つに視角的に関連付けられるように前記構造上に配置されている、請求項２に記載のロボット医療システム。
【請求項４】
前記複数の起動可能なインディケータの各々は、前記複数の取り付けられていない手術用器具のうちの対応する１つの上に配置されている、請求項２に記載のロボット医療システム。
【請求項５】
前記第１および第２のユーザ操作可能なマスタコントローラを操作するユーザにより視覚可能なように前記第１および第２のユーザ操作可能なマスタコントローラに近接して配置されたモニタをさらに備え、
前記コンピュータプロセッサは、前記複数の取り付けられていない手術用器具から識別情報を読み取ることと、前記複数の取り付けられていない手術用器具からの前記識別情報を用いて前記モニタ上で交換手術用器具としてのユーザ選択に利用可能な手術用器具のリストを提供することとを実行するようにプログラムされている、請求項２に記載のロボット医療システム。
【請求項６】
前記コンピュータプロセッサは、前記複数の起動可能なインディケータのうちの対応する１つを起動することにより、前記手術用器具のリストから選択される交換手術用器具のユーザ選択に応答するようにプログラムされている、請求項５に記載のロボット医療システム。
【請求項７】
前記第１および第２のユーザ操作可能なマスタコントローラを操作するユーザにより視覚可能なように前記第１および第２のユーザ操作可能なマスタコントローラに近接して配置されたモニタをさらに備え、
前記コンピュータプロセッサは、前記第１のマニプレータ、前記第２のマニプレータおよび前記複数の取り付けられていない手術用器具のユーザ選択可能なインディケータを前記モニタ上に表示することと、前記第１および第２のマニプレータのうちの１つならびに前記複数の取り付けられていない手術用器具のうちの１つを選択したときに、前記選択されたマニプレータおよび取り付けられていない手術用器具の対応する起動可能なインディケータを起動することとを実行するようにプログラムされている、請求項２に記載のロボット医療システム。
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
プロセス工場のオペレータに提示される情報に注意を引き付けるための方法であって、
電子プロセス工場表示ディスプレイを提示することと、
プロセス工場データを収集することと、
プロセス工場の一部分を同定するためにプロセス工場データを処理することと、
プロセス工場表示ディスプレイの前記同定された一部分を除く実質的に全ての部分を少なくとも部分的に暗くして不明瞭にするように電子プロセス工場表示ディスプレイを修正変更することと、
を含む方法。
【請求項２】
電子プロセス工場表示ディスプレイを修正変更することは、
プロセス工場表示ディスプレイの前記同定された一部分を囲む幾何学的領域を同定することと、
電子プロセス工場表示ディスプレイの幾何学的領域外部の部分を暗くして不明瞭にすることと、
を含むことを特徴とする、請求項１に記載の方法。
【請求項３】
電子プロセス工場表示ディスプレイの幾何学的領域内部の第２の部分が、暗く不明瞭になっていないか及び修正変更されていないかのうちの少なくとも一つであることを特徴とする、請求項２に記載の方法。
【請求項４】
電子プロセス工場表示ディスプレイの幾何学的領域外部の前記部分が、色の彩度を低減させたものか、外観的に可視度を低下させたものか、及び部分的に半透明な画像層を重ねて表示させたもののうちの少なくとも一つであることを特徴とする、請求項１〜３の何れか１項に記載の方法。
【請求項５】
プロセス工場の前記同定された一部分が、新規アラームのいずれかまたは全て、アラーム起動における変化、多大に逸脱するプロセス変量、状態変更、フラグ、フラグ変化、新規項目、新規変動、直近の状態変化、一団となって発生するアラーム、変化率の逸脱、入力不良、厄介な制御ループ、装置の不具合、慢性的なバルブの付着、及び故障・不具合のうちの少なくとも一つに対応することを特徴とする、請求項１〜４の何れか１項に記載の方法。
【請求項６】
幾何学的領域が円形領域、楕円形領域、星型領域及び長方形領域のうちの少なくとも一つを成すことを特徴とする、請求項１〜５の何れか１項に記載の方法。
【請求項７】
プロセス工場の前記一部分がプロセス工場の一台の設備と関連付けられていることを特徴とする、請求項１〜６の何れか１項に記載の方法。
【請求項８】
プロセス工場表示ディスプレイがアクティブな表示ウィンドウを構成することを特徴とする、請求項１〜７の何れか１項に記載の方法。
【請求項９】
表示ディスプレイと、
表示ディスプレイにオペレータ・アプリケーションを提示するためのオペレータ用表示モジュールと、
プロセス工場の一部分を同定するためプロセス工場のデータを分析するとともに、プロセス工場の同定された一部分を含まないオペレータ・アプリケーションの一部分を暗くして不明瞭にするスポットライタ（スポットライト表示機構）と、
を含むことを特徴とする、オペレータステーション機器。
【請求項１０】
プロセス工場の前記同定された一部分が、新規アラームのいずれかまたは全て、アラーム起動における変化、多大に逸脱するプロセス変量、状態変更、フラグ、フラグ変化、新規項目、新規変動、直近の状態変化、一団となって発生するアラーム、変化率の逸脱、入力不良、厄介な制御ループ、装置の不具合、慢性的なバルブの付着、及び故障・不具合のうちの少なくとも一つに対応することを特徴とする、請求項９に記載のオペレータステーション機器。
【請求項１１】
オペレータ・アプリケーションの前記同定された一部分を囲む幾何学的領域を同定するとともにオペレータ・アプリケーションの幾何学的領域外部の部分を暗くして不明瞭にすることによりスポットライタがオペレータ・アプリケーションの前記一部分を暗くして不明瞭にすることになっていることを特徴とする、請求項９又は１０に記載のオペレータステーション機器。
【請求項１２】
オペレータ・アプリケーションの幾何学的領域内部の第２の部分が、暗く不明瞭になっていないか、及び修正変更されていないかのうちの少なくとも一つであることを特徴とする、請求項１１に記載のオペレータステーション機器。
【請求項１３】
スポットライタが、色の彩度を低減させることによるか、外観的に可視度を低下させることによるか、及びオペレータ・アプリケーションの幾何学的領域外部の部分に画像イメージを重ねて表示させることによるかのうちの少なくとも一つの方法で幾何学的領域外部のオペレータ・アプリケーションの前記一部分を暗くして不明瞭にすることを特徴とする、請求項９〜１２の何れか１項に記載のオペレータステーション機器。
【請求項１４】
オペレータステーション機器が、プロセス工場制御システムのオペレータステーションを備えることを特徴とする、請求項９〜１３の何れか１項に記載のオペレータステーション機器。
【請求項１５】
オペレータ・アプリケーションを提示し、スポットライタが前記同定された一部分を除いてオペレータ・アプリケーションの実質的に全ての部分を暗くして不明瞭にすることを可能にするためのオペレーティングシステムを更に含む請求項９〜１４の何れか１項に記載のオペレータステーション機器。
【請求項１６】
プロセス工場のオペレータに提示される情報に注意を引き付けるための方法であって、
電子プロセス工場表示ディスプレイを提示することと、
プロセス工場データを収集することと、
プロセス工場の一部分を同定するためにプロセス工場データを処理することと、
プロセス工場表示ディスプレイの前記同定された一部分を囲む幾何学的領域を同定することと、
幾何学的領域内部に表されるプロセス工場の前記一部分に注意を引き付けるべく幾何学的領域内部の電子プロセス工場表示ディスプレイの一部分をハイライト表示することと、
を含む方法。
【請求項１７】
プロセス工場の前記同定された一部分が、新規アラームのいずれかまたは全て、アラーム起動における変化、多大に逸脱するプロセス変量、状態変更、フラグ、フラグ変化、新規項目、新規変動、直近の状態変化、一団となって発生するアラーム変化率の逸脱、入力不良、厄介な制御ループ、装置の不具合、慢性的なバルブの付着、及び故障・不具合のうちの少なくとも一つに対応することを特徴とする、請求項１６に記載の方法。
【請求項１８】
幾何学的領域外部の電子プロセス工場表示ディスプレイの一部分が、色の彩度を低減させたもの、外観的に可視度を低下させたもの、及び部分的に半透明な画像層を重ねて表示させたもののうちの少なくとも一つであることを特徴とする、請求項１６又は１７に記載の方法。
【請求項１９】
プロセス工場の前記一部分がプロセス工場内の一台の設備と関連付けられていることを特徴とする、請求項１６〜１８の何れか１項に記載の方法。
【請求項２０】
プロセス工場表示ディスプレイが、アクティブでない表示ウィンドウを構成することを
特徴とする、請求項１６〜１９の何れか１項に記載の方法。
【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
方法であって、
重合体ブラシ層を基板に付与する工程と、
複数の化学的にコントラスト付けされたアライメント構造を提供するように前記ブラシ層内を伸長する離散した開口部を形成する工程と、
前記ブラシ層に自己集合化材料を堆積させる工程とを備え、前記自己集合化材料の実質的に球形のドメインの位置および／または向きは、ナノ構造パターンを形成するように前記アライメント構造によって誘導され、前記アライメント構造の周期は前記球形のドメインの周期の２倍から１０倍の間にあり、前記離散した開口部の直径は前記球形のドメインの直径よりも小さい、方法。
【請求項２】
前記アライメント構造に配列される実質的に球形のドメインの各々は、前記ブラシ層の上方に配置される球形部分と、前記球形部分から前記ブラシ層内に延在する円筒形部分とを有する、請求項１に記載の方法。
【請求項３】
前記アライメント構造は周期Ｌｓで配置されており、前記自己集合化材料は自然な周期Ｌｏを有し、ｎ＝１，２，．．．，１０についてＬｓ＝ｎＬｏ（±１０％）である、請求項１に記載の方法。
【請求項４】
前記アライメント構造は周期Ｌｓで配置されており、前記自己集合化材料は自然な周期Ｌｏを有し、ｎ＝１，２，．．．，５についてＬｓ＝ｎ√３Ｌｏ（±１０％）である、請求項１に記載の方法。
【請求項５】
前記アライメント構造は平均周期＜Ｌｓ＞で配置されており、前記自己集合化材料は自然な周期Ｌｏを有し、<Ｌｓ>は２Ｌｏから１０Ｌｏの範囲にある、請求項１に記載の方法。
【請求項６】
装置であって、
重合体ブラシ層を支持する基板を備え、前記重合体ブラシ層は、複数の化学的にコントラスト付けされたアライメント構造を提供するように前記ブラシ層内を伸長する複数の離散した開口部を含み、装置はさらに、
前記ブラシ層上の自己集合化材料を備え、前記自己集合化材料の実質的に球形のドメインの位置および／または向きは、ナノ構造パターンを形成するように前記アライメント構造によって誘導され、前記アライメント構造の周期は前記球形のドメインの周期の２倍から１０倍の間にあり、前記離散した開口部の直径は前記球形のドメインの直径よりも小さい、装置。
【請求項７】
前記開口部に配列される実質的に球形のドメインの各々は、前記ブラシ層の上方に配置される球形部分と、前記球形部分から前記ブラシ層内に延在する円筒形部分とを有する、請求項６に記載の装置。
【請求項８】
前記アライメント構造は周期Ｌｓで配置されており、前記自己集合化材料は自然な周期Ｌｏを有し、ｎ＝１，２，．．．，１０についてＬｓ＝ｎＬｏ（±１０％）である、請求項６に記載の装置。
【請求項９】
前記アライメント構造は周期Ｌｓで配置されており、前記自己集合化材料は自然な周期Ｌｏを有し、ｎ＝１，２，．．．，５についてＬｓ＝ｎ√３Ｌｏ（±１０％）である、請求項６に記載の装置。
【請求項１０】
前記アライメント構造は平均周期＜Ｌｓ＞で配置されており、前記自己集合化材料は自然な周期Ｌｏを有し、＜Ｌｓ＞は２Ｌｏから１０Ｌｏの範囲にある、請求項６に記載の装置。
【請求項１１】
方法であって、
重合体ブラシ層を基板に付与する工程と、
前記ブラシ層において間隔の空けられた細長い開口部を含む、複数の化学的にコントラスト付けされたアライメント構造を形成する工程とを備え、前記細長い開口の各々は大きい長さと小さい幅とを有し、方法はさらに、
前記ブラシ層上に自己集合化材料を堆積させる工程を備え、前記自己集合化材料の実質的に円筒形のドメインの位置および／または向きは、薄層状パターンを形成するように前記アライメント構造によって誘導され、前記アライメント構造の周期は前記円筒形のドメインの周期の２倍から１０倍の間にあり、各円筒形のドメインの幅は各開口部の幅よりも大きい、方法。
【請求項１２】
前記アライメント構造は周期Ｌｓで配置されており、前記自己集合化材料は自然な周期Ｌｏを有し、ｎ＝１，２，．．．，５についてＬｓ＝ｎ√３Ｌｏ（±１０％）である、請求項１１に記載の方法。
【請求項１３】
前記細長い開口部に配列される実質的に円筒形のドメインの各々は、前記ブラシ層の上方に配置される円筒形部分と、前記円筒形部分から前記ブラシ層内の対応する開口部に延在する実質的に直線状の部分とを有する、請求項１１に記載の方法。
【請求項１４】
装置であって、
重合体ブラシ層を支持する基板を備え、前記重合体ブラシ層は、前記ブラシ層において間隔の空けられた細長い開口部を含む、複数の化学的にコントラスト付けされたアライメント構造を有し、前記細長い開口部の各々は大きい長さと小さい幅とを有し、装置はさらに、
前記ブラシ層上の自己集合化材料を備え、前記自己集合化材料の実質的に円筒形のドメインの位置および／又は向きは、薄層状パターンを形成するように前記アライメント構造によって誘導され、前記アライメント構造の周期は前記球形のドメインの周期の２倍から１０倍の間にあり、各円筒形のドメインの幅は開口部の幅よりも大きい、装置。
【請求項１５】
前記アライメント構造は周期Ｌｓで配置されており、前記自己集合化材料は自然な周期Ｌｏを有し、ｎ＝１，２，．．．，５についてＬｓ＝ｎ√３Ｌｏ（±１０％）である、請求項１４に記載の装置。
【請求項１６】
前記細長い開口部と配列される実質的に円筒形のドメインの各々は、前記ブラシ層の上方に配置される円筒形部分と、前記円筒形部分から前記ブラシ層内の対応する細長い開口部内に延在する実質的に直線的な部分とを有する、請求項１４に記載の装置。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
橈骨動脈、若しくは尺骨動脈の直上または略直上を加圧した後、減圧時の前記橈骨動脈、若しくは尺骨動脈の血管壁の圧力変動を検知することによって血圧値を算出する手首式血圧計であって、
ベース板と、
前記ベース板に設けられた円筒カム機構と、
前記円筒カム機構に設けられ、前記圧力変動を検知する圧力センサーと、
前記円筒カム機構を駆動する駆動手段と、
前記駆動手段の回転を減速して前記円筒カム機構に伝達する駆動減速手段と、
を含むことを特徴とする手首式血圧計。
【請求項２】
請求項１に記載の手首式血圧計において、
前記円筒カム機構は、複数段に構成されたことを特徴とする手首式血圧計。
【請求項３】
請求項１に記載の手首式血圧計において、
前記駆動手段は、電磁アクチュエーターであることを特徴とする手首式血圧計。
【請求項４】
請求項１に記載の手首式血圧計において、
前記駆動手段は、超音波アクチュエーターであることを特徴とする手首式血圧計。
【請求項５】
請求項１に記載の手首式血圧計において、
前記駆動減速手段は、ウォームギアとウォームギアホイールとを含むことを特徴とする
手首式血圧計。
【請求項６】
請求項１に記載の手首式血圧計において、
前記駆動減速手段は、不思議遊星歯車を含むことを特徴とする手首式血圧計。
【請求項７】
請求項１に記載の手首式血圧計において、
前記圧力センサーは、センサー用水袋を含むことを特徴とする手首式血圧計。
【請求項８】
請求項１に記載の手首式血圧計において、
前記ベース板の形状は、手首に沿った第１面と第２面とを含む複数の面から構成される
ことを特徴とする手首式血圧計。
【請求項９】
請求項８に記載の手首式血圧計において、
前記第１面と前記第２面との角度は、所定の値に設定できることを特徴とする手首式血
圧計。
【請求項１０】
請求項８に記載の手首式血圧計において、
前記駆動手段の配置は、手首に沿った前記第１面と前記第２面との交差線近傍に配置さ
れることを特徴とする手首式血圧計。
【請求項１１】
請求項１０に記載の手首式血圧計において、
前記第１面には、前記円筒カム機構が構成され、前記第２面には、回路基板が構成され
ていることを特徴とする手首式血圧計。
【手続補正書】
【提出日】平成25年2月22日(2013.2.22)
【手続補正１】
【補正対象書類名】明細書
【補正対象項目名】０００７
【補正方法】変更
【補正の内容】
【０００７】
（１）本発明に係る印刷用ブランケットの製造方法は、略半円柱状の弾性体と該弾性体の断面円弧状の側面に接着されたシートとを有するものであって、
略半円柱状の弾性体を成型する工程と、
所定の大きさのシートを形成する工程と、
前記シートを平面上または凹面上に載置する工程と、
該載置されたシートに前記弾性体の側面を押し付ける工程と、
前記押し付ける工程に先行する、前記弾性体の側面または前記シートの前記弾性体が押し付けられる面の一方または両方に接着剤を塗布する工程と、を有し、
前記押し付ける工程において、前記弾性体の側面に前記シートが接着されることを特徴とする。
（２）また、前記弾性体の側面、前記シートの前記弾性体が押し付けられる面、または前記接着剤の何れかに離型材を塗布する工程を有することを特徴とする。
（３）さらに、前記シートおよび前記弾性体にシリコンオイルが混合され、前記シートが前記弾性体に比較して硬質であることを特徴とする。
【手続補正２】
【補正対象書類名】特許請求の範囲
【補正対象項目名】全文
【補正方法】変更
【補正の内容】
【特許請求の範囲】
【請求項１】
略半円柱状の弾性体と該弾性体の断面円弧状の側面に接着されたシートとを有するものであって、
略半円柱状の弾性体を成型する工程と、
所定の大きさのシートを形成する工程と、
前記シートを平面上または凹面上に載置する工程と、
該載置されたシートに前記弾性体の側面を押し付ける工程と、
前記押し付ける工程に先行する、前記弾性体の側面または前記シートの前記弾性体が押し付けられる面の一方または両方に接着剤を塗布する工程と、を有し、
前記押し付ける工程において、前記弾性体の側面に前記シートが接着されることを特徴とする印刷用ブランケットの製造方法。
【請求項２】
前記弾性体の側面、前記シートの前記弾性体が押し付けられる面、または前記接着剤の何れかに離型材を塗布する工程を有することを特徴とする請求項１記載の印刷用ブランケットの製造方法。
【請求項３】
前記シートおよび前記弾性体にシリコンオイルが混合され、前記シートが前記弾性体に比較して硬質であることを特徴とする請求項１または２記載の印刷用ブランケットの製造方法。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
第１条件として特定遊技の遊技回数を設定する第１条件設定手段と、
前記第１条件と異なる第２条件を設定する第２条件設定手段と、
前記第１条件又は前記第２条件が成立したことに基づいて、遊技者に特別特典を付与する特別特典付与手段と、
前記第２条件が成立した場合に特定回数を記憶する特定回数記憶手段と、
前記第２条件が成立した場合、前記第２条件成立に基づく前記特別特典付与後の前記第１条件成立となる前記特定遊技の遊技回数を、前記第１条件設定手段が設定した遊技回数から減少させる回数減少手段と
を備え、
前記回数減少手段は、前記第１条件設定手段が設定した遊技回数よりも前記特定回数記憶手段に記憶された特定回数の方が大きい場合、前記特定回数記憶手段に記憶された特定回数から前記第１条件設定手段が設定した遊技回数を減算した減算値を新たな特定回数として前記特定回数記憶手段に記憶させるとともに、前記第１条件成立となる前記特定遊技の遊技回数を０とし、前記第１条件設定手段が設定した遊技回数よりも前記特定回数記憶手段に記憶された特定回数の方が小さい場合、前記第１条件成立となる前記特定遊技の遊技回数を、前記第１条件設定手段が設定した遊技回数から前記特定回数記憶手段に記憶された特定回数を減算した値に変更するとともに、前記特定回数記憶手段に記憶された特定回数を０に変更することを特徴とする遊技機。
【請求項２】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
第１条件として特定遊技の遊技回数を設定する第１条件設定手段と、
前記第１条件と異なる第２条件を設定する第２条件設定手段と、
前記第１条件が成立したことに基づいて、遊技者に特別特典を付与する特別特典付与手段と、
前記第２条件が成立した場合に特定回数を記憶する特定回数記憶手段と、
前記第２条件が成立した場合、前記第１条件成立となる前記特定遊技の遊技回数を、前記第１条件設定手段が設定した遊技回数から減少させる回数減少手段と
を備え、
前記回数減少手段は、前記第１条件設定手段が設定した遊技回数よりも前記特定回数記憶手段に記憶された特定回数の方が大きい場合、前記特定回数記憶手段に記憶された特定回数から前記第１条件設定手段が設定した遊技回数を減算した減算値を新たな特定回数として前記特定回数記憶手段に記憶させるとともに、前記第１条件成立となる前記特定遊技の遊技回数を０とし、前記第１条件設定手段が設定した遊技回数よりも前記特定回数記憶手段に記憶された特定回数の方が小さい場合、前記第１条件成立となる前記特定遊技の遊技回数を、前記第１条件設定手段が設定した遊技回数から前記特定回数記憶手段に記憶された特定回数を減算した値に変更するとともに、前記特定回数記憶手段に記憶された特定回数を０に変更することを特徴とする遊技機。
【請求項３】
前記第２条件が成立した場合、前記特定回数記憶手段に第１値を記憶させる第１値設定手段と、前記第１値設定手段が前記第１値を記憶させた場合、前記特定回数記憶手段に記憶された特定回数を前記第１値から前記第１条件成立となる前記特定遊技の残り遊技回数を減算した第２値に変更する第２値設定手段と、を備え、前記第１値設定手段は、前記特定遊技の残り遊技回数に関わらず同一の値を記憶させることを特徴とする請求項１又は請求項２に記載の遊技機。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
第一の三次元画像を取得する手段と、
前記第一の三次元画像が変形された第二の三次元画像を取得する手段と、
前記第一の三次元画像における注目領域を含む第一の断面画像を生成するとともに、前記第一の断面画像に対応する第二の断面画像における対応する注目領域の向きが前記第一の断面画像における前記注目領域の向きと一致するように、前記第二の三次元画像から前記第二の断面画像を生成する表示画像生成手段と、
前記第一の断面画像と前記第二の断面画像とを表示する表示手段と
を備えることを特徴とする画像処理装置。
【請求項２】
第一の位置および向きにおける対象物体の形状と、前記第一の位置および向きとは異なる第二の位置および向きにおける前記対象物体の形状との間の変位量を、当該対象物体へ加わる外力の相対的な方向の違いに基づいて算出する変位算出手段をさらに備え、
前記第一の三次元画像を取得する手段は、前記対象物体の前記第一の三次元画像を取得し、
前記第二の三次元画像を取得する手段は、前記変位量に基づいて、前記第一の三次元画像から前記第二の三次元画像を取得する
ことを特徴とする請求項１に記載の画像処理装置。
【請求項３】
前記注目領域を基準とした所定範囲を前記注目領域の周辺領域として設定する設定手段と、
前記周辺領域内における前記第一の三次元画像のうち前記注目領域を示す複数の代表点の位置を代表点群位置として取得する代表点群取得手段と、
前記代表点のそれぞれの重み係数を算出する重み係数算出手段と、
前記代表点群位置を前記変位量に基づいて変位させて、前記第二の三次元画像における、前記代表点群位置に対応する対応点群位置を取得する対応点群取得手段と、
前記代表点群位置と、前記重み係数と、前記対応点群位置とに基づいて、前記代表点群位置から前記対応点群位置への変換行列を算出する行列算出手段と、
をさらに備えることを特徴とする請求項２に記載の画像処理装置。
【請求項４】
前記第一の三次元画像に前記変換行列による変換を施すことで第三の三次元画像を生成する手段と、
前記第二の三次元画像における断面画像と、当該断面画像に対応する前記第三の三次元画像における断面画像との各断面画像を取得する断面画像取得手段と、
をさらに備えることを特徴とする請求項３に記載の画像処理装置。
【請求項５】
前記表示手段は、前記断面画像取得手段により取得された前記第二の三次元画像における断面画像または当該断面画像に対応する前記第三の三次元画像における断面画像を表示することを特徴とする請求項４に記載の画像処理装置。
【請求項６】
第一の三次元画像を第二の三次元画像に変形する変形手段と、
前記第一の三次元画像内の注目領域と、前記第二の三次元画像の対応する領域が重なるように剛体変換する関係式を求める算出手段と、 
前記剛体変換の関係に基づき、前記第二の三次元画像における前記注目領域の断面画像と、前記断面画像の向きに対応する前記第一の三次元画像における前記注目領域の断面画像とを取得する取得手段とを備え、
前記算出手段は、
前記第一の三次元画像における注目領域を取得する領域取得手段と、
前記注目領域を基準とした所定範囲を前記注目領域の周辺領域として設定する設定手段と、
前記周辺領域内における前記第一の三次元画像のうち前記注目領域を示す複数の代表点の位置を代表点群位置として取得する代表点群取得手段と、
前記代表点のそれぞれの重み係数を算出する重み係数算出手段と、
前記代表点群位置を前記変形手段により施された変位量に基づいて変位させて、前記変形手段により取得された前記第二の三次元画像における、前記代表点群位置に対応する対応点群位置を取得する対応点群取得手段と、
前記代表点群位置と、前記重み係数と、前記対応点群位置とに基づいて、前記代表点群位置から前記対応点群位置への変換行列を算出する行列算出手段とを備え、
前記行列算出手段は、前記対応点と、前記変換行列及び前記代表点の積と、の差のノルムに前記重み係数を乗じた値を代表点ごとに求めて当該値の総和を算出し、当該総和が最小となる変換行列を算出し、
前記行列算出手段により算出される前記変換行列は、前記剛体変換する関係式として算出されることを特徴とする画像処理装置。
【請求項７】
前記重み係数算出手段は、前記代表点のそれぞれの重み係数を、前記注目領域の重心または前記周辺領域の重心からの距離が近い程大きく算出することを特徴とする請求項６に記載の画像処理装置。
【請求項８】
前記代表点群取得手段は、前記周辺領域を構成する各三次元要素の画素値に基づいてエッジ強度を検出し、閾値以上のエッジ強度を有する三次元要素を代表点の位置として取得することを特徴とする請求項６に記載の画像処理装置。
【請求項９】
前記重み係数算出手段は、前記代表点のそれぞれの重み係数を、前記エッジ強度が大きい程大きく算出することを特徴とする請求項８に記載の画像処理装置。
【請求項１０】
画像処理方法であって、
第一の三次元画像を取得する工程と、
前記第一の三次元画像が変形された第二の三次元画像を取得する工程と、
前記第一の三次元画像における注目領域を含む第一の断面画像を生成するとともに、前記第一の断面画像に対応する第二の断面画像における対応する注目領域の向きが前記第一の断面画像における前記注目領域の向きと一致するように、前記第二の三次元画像から前記第二の断面画像を生成する表示画像生成工程と、
前記第一の断面画像と前記第二の断面画像とを表示する表示工程と
を有することを特徴とする画像処理方法。
【請求項１１】
請求項１０に記載の画像処理方法をコンピュータに実行させるためのプログラム。
【請求項１２】
第一の三次元画像を取得する第一の取得手段と、
前記第一の三次元画像が変形された第二の三次元画像を取得する第二の取得手段と、
前記第一の三次元画像における注目領域を含む第一の断面画像を生成するとともに、前記第一の三次元画像における前記注目領域の向きに基づいて、前記第二の三次元画像における前記注目領域を含む第二の断面画像を生成する表示画像生成手段と、
前記第一の断面画像と前記第二の断面画像を表示する表示手段とを備え、
前記第二の取得手段は、前記第一の三次元画像のうち注目領域を示す代表点群と、前記代表点群に対応する前記第二の三次元画像における対応点群の組を取得して、前記組に基づいて変換を行うことにより前記第二の三次元画像を取得することを特徴とする画像処理装置。
【手続補正２】
【補正対象書類名】明細書
【補正対象項目名】００１０
【補正方法】変更
【補正の内容】
【００１０】
上記の目的を達成する本発明に係る画像処理装置は、
第一の三次元画像を取得する手段と、
前記第一の三次元画像が変形された第二の三次元画像を取得する手段と、
前記第一の三次元画像における注目領域を含む第一の断面画像を生成するとともに、前記第一の断面画像に対応する第二の断面画像における対応する注目領域の向きが前記第一の断面画像における前記注目領域の向きと一致するように、前記第二の三次元画像から前記第二の断面画像を生成する表示画像生成手段と、
前記第一の断面画像と前記第二の断面画像とを表示する表示手段と
を備えることを特徴とする。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
インジェクタに接続可能なシリンジアセンブリであって、
第１アダプター部及び分離した第２アダプタ部と、
第１アダプタ部と第２アダプタ部とを結合させる永久的スナップコネクタを有し、
前記第１アダプタ部、第２アダプタ部又はこれらの結合は、前部がシリンジの後端に取り付けられるように構成され、後部がシリンジアセンブリをインジェクタシリンジインターフェイスへ動作可能に連結するように構成され、後部は更に検出システムと協働するように配置されたインジケータを備え、光を反射する所定位置に位置決めされている、シリンジアセンブリ。
【請求項２】
シリンジ部の後端はフランジを有し、第１アダプタ部、第２アダプタ部又はこれらの結合は、該フランジに結合するように構成されている、請求項１に記載のシリンジアセンブリ。
【請求項３】
第１アダプタ部と第２アダプタは、機械的な接続を介して取り付け可能である、請求項１に記載のシリンジアセンブリ。
【請求項４】
第１アダプタ部と第２アダプタは、一緒に運ばれて、シリンジのバレル部の長軸に対して、０度ではない角度で取り付けられる、請求項１に記載のシリンジアセンブリ。
【請求項５】
第１アダプタ部と第２アダプタは、一緒に運ばれて、シリンジのバレル部の長軸に直交する角度で取り付けられる、請求項１に記載のシリンジアセンブリ。
【請求項６】
第１アダプタ部と第２アダプタの各々は、高分子材料から形成される、請求項１に記載のシリンジアセンブリ。
【請求項７】
第１アダプタ部と第２アダプタの各々は、成形工程を介して、２つの部分は分離して形成される形成される、請求項１に記載のシリンジアセンブリ。
【請求項８】
フランジは非円形で、第１アダプタ部と第２アダプタは、シリンジ部が第１アダプタ部と第２アダプタに対して回転できないようにフランジに係合する、請求項２に記載のシリンジアセンブリ。
【請求項９】
更に、第１アダプタ部と第２アダプタに係合可能な第３部分を具える、請求項１に記載のシリンジアセンブリ。
【請求項１０】
更に、シリンジ部に接続した後に、バレル部と作動可能に繋がる通路を具え、シリンジアセンブリの接続に際して、駆動部材は通路を通って、シリンジ内にてスライド可能に位置され得るプランジャを作動させる、請求項１に記載のシリンジアセンブリ。
【請求項１１】
第１シリンジインターフェイスと第１駆動部材とを有する第１インジェクタに接続可能な、シリンジアセンブリを形成する方法であって、
加圧されるべき流体を含むべきバレルと、該バレルに流体流通可能に接続される出口とを具えるシリンジを配備する工程と、
シリンジとは別個に形成されたアダプタを配備する工程であって、
該アダプタは、第１部と第２部を有し、第１部は第２部に結合可能であって、第１部と第２部は少なくとも第１部と第２部を結合するための永久スナップコネクタを備え、各部はシリンジの後端に取り付け出来るように構成され、後部はシリンジアセンブリをインジェクタシリンジインターフェイスへ動作可能に連結するように構成され、後部は更に検出システムと協働し、光を反射するように所定位置に位置決めされたインジケータを備え、
シリンジの後端をアダプタ中に載せる工程と、
第１アダプタ部と第２アダプタの結合を形成して、アダプタをシリンジ部に接続する工程と、
を備えた、インジェクタに接続可能なシリンジアセンブリを形成する方法。
【請求項１２】
シリンジは、第１インジェクタの第１シリンジインターフェイスとは異なる第２シリンジインターフェイスを含む第２インジェクタに接続されるように構成された取付け機構を含む、請求項１１に記載の方法。
【請求項１３】
シリンジをインジェクタに動作可能に接続させることができるキットであって、
第２アダプタ部に永久に結合可能な第１アダプタ部を含むアダプタを具え、
各部は、シリンジの後端に取り付けるように構成された前部と、インジェクタシリンジインターフェイスへ動作可能に結合するように構成された後部を有し、
後部は更に検出システムと協働し、光を反射するように所定位置に位置決めされたインジケータを備えた、
シリンジをインジェクタへ動作可能に接続することを可能にするキット。
【請求項１４】
アセンブリのシリンジ後部には取付け用フランジを有する、請求項１のシリンジアセンブリ。
【請求項１５】
アセンブリ前部には、シリンジ後端のシリンジフランジの少なくとも一部を載せるように構成された取付部を有する、請求項１のシリンジアセンブリ。
【請求項１６】
アセンブリの後部には、アセンブリをインジェクタシリンジインターフェイスから分離することができる突出タブを備えている、請求項１のシリンジアセンブリ。
【請求項１７】
アセンブリの後部には、半径方向に延びる突出縁がある、請求項１のシリンジアセンブリ。
【請求項１８】
インジケータは、インジェクタに対してシリンジの形状を表示する、請求項１のシリンジアセンブリ。
【請求項１９】
インジケータは二進コードに対応している、請求項１のシリンジアセンブリ。
【請求項２０】
アセンブリは、光学的に透明な高分子材料を有している、請求項１のシリンジアセンブリ。
【請求項２１】
第１部と第２部は、アセンブリを長手方向に分けたほぼ同一形状の２つの半体を有している、請求項１のシリンジアセンブリ。
【請求項２２】
さらにプランジャアダプタを備えている、請求項１のシリンジアセンブリ。
【請求項２３】
第１部を第２部から取り除くと破損が起こる、請求項１のシリンジアセンブリ。
【請求項２４】
第１部と第２部をシリンジから取り除くと、破損させる、請求項１のシリンジアセンブリ。
【請求項２５】
第１部と第２部をシリンジから取り除くと破損させる、請求項１１の方法。
【請求項２６】
インジケータは、インジェクタに対してシリンジの形状を表示する、請求項１１の方法。
【請求項２７】
インジケータは二進コードに対応している、請求項１２の方法。
【請求項２８】
アセンブリは、光学的に透明な高分子材料を有している、請求項１１の方法。
【請求項２９】
第１部を第２部から取り除くと破損が起こる、請求項１３のキット。
【請求項３０】
第１部と第２部をシリンジから取り除くと、破損させる、請求項１３のキット。
【請求項３１】
さらにプランジャアダプタを備えている、請求項１３のキット。
【請求項３２】
インジケータは、インジェクタに対してシリンジの形状を表示する、請求項１３のキット。
【請求項３３】
インジケータは二進コードに対応している、請求項１３のキット。
【請求項３４】
アセンブリは、光学的に透明な高分子材料を有している、請求項１３のキット。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
特定遊技を所定回数行うことで成立させることが可能となる第１条件を設定する第１条件設定手段と、
前記第１条件と異なる第２条件を設定する第２条件設定手段と、
前記第１条件又は前記第２条件が成立した場合、遊技者に特別特典を付与する特別特典付与手段と、
前記第２条件が成立した場合、前記特定遊技が行われた回数を把握する回数把握手段と、
前記回数把握手段の把握結果に基づいて、前記第１条件の達成度を把握する達成度把握手段と、
前記達成度把握手段が把握し得る達成度の範囲に複数の区間が設定されるとともに、前記各区間と、付与する特典内容と、の対応関係を定めた特典内容情報を記憶する特典内容情報記憶手段と、
前記第２条件が成立した場合、前記達成度把握手段の把握結果と、前記特典内容情報と、に基づいて遊技者に特定特典を付与する特定特典付与手段と
を備え、
前記特典内容情報を、前記達成度が高い区間ほど前記特典内容の遊技者の有利度合いが大きくなる構成としたことを特徴とする遊技機。
【請求項２】
前記第１条件設定手段は、前記第１条件として前記特定遊技の回数を設定するものであって、前記特定特典付与手段は、前記第２条件成立に基づく前記特別特典付与後の前記第１条件成立となる前記特定遊技の回数を、前記第１条件設定手段が設定した回数から減少させることを特徴とする請求項１に記載の遊技機。
【請求項３】
前記特定遊技を前記役の抽選結果に基づかない遊技としたことを特徴とする請求項１又は請求項２に記載の遊技機。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
特定遊技を所定回数行うことで成立させることが可能となる第１条件を設定する第１条件設定手段と、
前記第１条件と異なる第２条件を設定する第２条件設定手段と、
前記第１条件又は前記第２条件が成立した場合、遊技者に特別特典を付与する特別特典付与手段と、
前記第２条件が成立した場合、前記特定遊技が行われた回数を把握する回数把握手段と、
前記回数把握手段の把握結果に基づいて、前記第１条件の達成度を把握する達成度把握手段と、
前記達成度把握手段が把握し得る達成度の範囲に複数の区間が設定されるとともに、前記各区間と、付与する特典内容と、の対応関係を定めた特典内容情報を記憶する特典内容情報記憶手段と、
前記第２条件が成立した場合、前記達成度把握手段の把握結果と、前記特典内容情報と、に基づいて遊技者に特定特典を付与する特定特典付与手段と
を備え、
前記特典内容情報を、前記達成度が低い区間ほど前記特典内容の遊技者の有利度合いが大きくなる構成としたことを特徴とする遊技機。
【請求項２】
前記第１条件設定手段は、前記第１条件として前記特定遊技の回数を設定するものであって、前記特定特典付与手段は、前記第２条件成立に基づく前記特別特典付与後の前記第１条件成立となる前記特定遊技の回数を、前記第１条件設定手段が設定した回数から減少させることを特徴とする請求項１に記載の遊技機。
【請求項３】
前記特典内容情報には、前記各区間と、前記第１条件設定手段が設定した回数から減少させる減少回数に関わる減少回数情報と、の対応関係を定め、前記特定特典付与手段を、前記第１条件設定手段が設定した回数よりも前記減少回数情報に定められた減少回数の方が大きい場合、前記第１条件成立となる前記特定遊技の回数を０とするとともに、第２特定特典を付与する構成としたことを特徴とする請求項２に記載の遊技機。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
被検眼の網膜層の周辺部の第１の３次元断層像及び第２の３次元断層像を取得する取得手段と、
前記被検眼の網膜色素上皮層と強膜層との間の網膜の層構造の少なくとも一部の領域を対応付けることによって、前記第１の３次元断層像と前記第２の３次元断層像とを位置合わせする位置合わせ手段と、
相互に位置合わせされた前記第１の３次元断層像及び前記第２の３次元断層像上の対応位置における２次元断層像として、第１の２次元断層像及び第２の２次元断層像を生成する生成手段と、
前記第１の２次元断層像及び前記第２の２次元断層像を表示手段に表示させる表示制御手段と、
を備えることを特徴とする断層像観察装置。
【請求項２】
前記網膜色素上皮層の境界を検出し、当該検出された境界に基づいて前記網膜の層構造の少なくとも一部の領域を検出する検出手段をさらに備えることを特徴とする請求項１に記載の断層像観察装置。
【請求項３】
前記第１の３次元断層像及び前記第２の３次元断層像から検出される前記網膜の層構造の少なくとも一部の領域を２次元平面上にそれぞれ投影し、前記２次元平面上に投影された前記それぞれの投影像の少なくとも一部の領域に対して所定間隔で制御点を設定する設定手段と、
前記第１の３次元断層像に基づく投影像と前記第２の３次元断層像に基づく投影像とにおける対応する制御点間の距離の２乗和を算出する算出手段と、
前記算出手段により算出された前記２乗和の最小値が所定の閾値に収まった場合、前記対応付けが成功したと判定し、前記２乗和の最小値が前記所定の閾値を超過した場合、前記対応付けに失敗したと判定する判定手段と、
をさらに備えることを特徴とする請求項１に記載の断層像観察装置。
【請求項４】
前記表示制御手段は、
前記判定手段により対応付けが失敗したと判定された場合、前記網膜の疾患の進行状態に関するアラートを前記表示手段に表示させることを特徴とする請求項３に記載の断層像観察装置。
【請求項５】
前記表示制御手段は、
前記第１の２次元断層像及び前記第２の２次元断層像を用いて差分処理を実施し、前記差分処理により取得された差分画像を前記表示手段に表示させることを特徴とする請求項１に記載の断層像観察装置。
【請求項６】
取得手段と、位置合わせ手段と、生成手段と、表示制御手段とを備える断層像観察装置の表示制御方法であって、
前記取得手段が、被検眼の網膜層の周辺部の第１の３次元断層像及び第２の３次元断層像を取得する取得工程と、
前記位置合わせ手段が、前記被検眼の網膜色素上皮層と強膜層との間の網膜の層構造の少なくとも一部の領域を対応付けることによって、前記第１の３次元断層像と前記第２の３次元断層像とを位置合わせする位置合わせ工程と、
前記生成手段が、相互に位置合わせされた前記第１の３次元断層像及び前記第２の３次元断層像上の対応位置における２次元断層像として、第１の２次元断層像及び第２の２次元断層像を生成する生成工程と、
前記表示制御手段が、前記第１の２次元断層像及び前記第２の２次元断層像を表示手段に表示させる表示制御工程と、 
を有することを特徴とする断層像観察装置の表示制御方法。
【請求項７】
請求項６に記載の断層像観察装置の表示制御方法の各工程をコンピュータに実行させるためのプログラム。
【手続補正２】
【補正対象書類名】明細書
【補正対象項目名】００１５
【補正方法】変更
【補正の内容】
【００１５】
上記の目的を達成する本発明に係る断層像観察装置は、
被検眼の網膜層の周辺部の第１の３次元断層像及び第２の３次元断層像を取得する取得手段と、
前記被検眼の網膜色素上皮層と強膜層との間の網膜の層構造の少なくとも一部の領域を対応付けることによって、前記第１の３次元断層像と前記第２の３次元断層像とを位置合わせする位置合わせ手段と、
相互に位置合わせされた前記第１の３次元断層像及び前記第２の３次元断層像上の対応位置における２次元断層像として、第１の２次元断層像及び第２の２次元断層像を生成する生成手段と、
前記第１の２次元断層像及び前記第２の２次元断層像を表示手段に表示させる表示制御手段と、
を備えることを特徴とする。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
流体が通過する流路に不要物を通過させないフィルターが設置され、前記フィルターが前記流体の進行方向に対して斜めに形成されていることを特徴とする濾過装置。
【請求項２】
請求項１に記載の濾過装置であって、
前記不要物が滞留する滞留部を備えることを特徴とする濾過装置。
【請求項３】
請求項２に記載の濾過装置であって、
前記滞留部における前記流体の速度は前記フィルターを通過する前記流体の速度より低い速度であることを特徴とする濾過装置。
【請求項４】
請求項３に記載の濾過装置であって、
前記滞留部には排出口と前記排出口を開閉する弁とを備えることを特徴とする濾過装置。
【請求項５】
請求項３に記載の濾過装置であって、
前記滞留部は重力加速度方向に凹んで形成されていることを特徴とする濾過装置。